(57)【特許請求の範囲】
【請求項１】
列車の利用者により操作される移動通信端末と、
前記列車の会社の予約用のサーバと、
前記列車に設置された認証用のサーバと、
前記認証用のサーバと列車内のネットワークを介して接続され前記列車の入口に設置された受信機とを有し、
前記移動通信端末は、前記列車の乗車予約内容を入力して前記予約用のサーバに送信し、
前記予約用のサーバは、前記移動通信端末から受信した予約内容の情報に基づいて乗車予約を行い、
前記移動通信端末は、前記利用者による列車の乗車予約が完了すると、該予約の内容が示された予約データを前記移動通信端末および前記認証用のサーバに送信し、
前記利用者が前記列車に乗車するとき、前記移動通信端末が前記受信機に前記予約データを送信すると、前記受信機は、該移動通信端末から受信した予約データに係る認証用の予約データの取得を前記列車内のネットワークを介して前記認証用のサーバに要求し、該認証用のサーバから前記列車内のネットワークを介して前記認証用の予約データを受信すると、該認証用の予約データと前記移動通信端末から受信した予約データとを照合し、該両データが一致したときに前記利用者による乗車を許可し、該両データが不一致の場合には乗車を制止することを特徴とする列車の乗車予約システム。
【請求項２】
列車の利用者により操作される移動通信端末と、
前記列車の会社の予約用のサーバと、
前記列車に設置された認証用のサーバと、
前記認証用のサーバと列車内のネットワークを介して接続され前記列車の入口に設置された予約データ読取手段とを有し、
前記移動通信端末は、前記列車の乗車予約内容を入力して前記予約用のサーバに送信し、
前記予約用のサーバは、前記移動通信端末から受信した予約内容の情報に基づいて乗車予約を行い、
前記移動通信端末は、前記利用者による列車の乗車予約が完了すると、該予約の内容が示された予約データを前記移動通信端末および前記認証用のサーバに送信し、
前記利用者が前記列車に乗車するとき、前記移動通信端末は、前記予約データとして、前記予約内容をバーコードおよび数字のうちの少なくとも一方で表示し、
前記予約データ読取手段は、前記移動通信端末の画面上に表示されたバーコードまたは数字を前記予約データとして読み取ると、該読み取った予約データに係る認証用の予約データの取得を前記列車内のネットワークを介して前記認証用のサーバに要求し、該認証用のサーバから前記列車内のネットワークを介して前記認証用の予約データを受信すると、該認証用の予約データと前記読み取った予約データとを照合し、該両データが一致したときに前記利用者による乗車を許可し、該両データが不一致の場合には乗車を制止することを特徴とする列車の乗車予約システム。
【請求項３】
前記予約用のサーバは、前記予約内容に基づいた課金情報から決済情報を作成して前記移動通信端末に送信し、
前記移動通信端末は、前記予約用のサーバから前記決済情報を受信すると、該受信した決済情報に示された決済方法から選択し、該選択した情報を前記予約用のサーバに送信して、前記乗車予約の決済を行うことを特徴とする請求項１または２記載の列車の乗車予約システム。
【請求項４】
乗車予約後、前記移動通信端末は、前記予約用のサーバにアクセスし、予約済みの予約内容を示す予約確認画面を前記予約用のサーバから受信して表示し、前記情報管理サーバに対して確認操作を行うと、
前記情報管理サーバは、前記予約の内容が示された予約データを前記移動通信端末および前記認証用のサーバに送信することを特徴とする請求項１から３のいずれか１項に記載の列車の乗車予約システム。
【発明の詳細な説明】
【０００１】
【発明の属する技術分野】
本発明は、携帯電話やモバイルコンピュータ等の携帯ができ、かつ、インターネットに接続可能な通信手段を利用して、鉄道や遠距離バスの座席予約あるいは飛行機や客船の搭乗予約が行えるようにした乗物の予約システムに関する。
【０００２】
【従来の技術】
近時のモバイル技術の進展により、携帯電話についても、例えば、ｉモード（事業者：ＮＴＴドコモグループ）、ＥＺｗｅｂ（事業者：ツーカー・セルラーグループ）、Ｊ−スカイウェブ（事業者：Ｊフォングループ）等、インターネット接続機能を備えた携帯電話が広く普及してきている。そして、このようなインターネット接続機能を備えた携帯電話で、例えば、各鉄道会社や航空会社で電車の座席指定券や飛行機の搭乗券の予約が行えるようなサイトを開設している。
【０００３】
【発明が解決しようとする課題】
ところで、前記した従来における携帯電話を利用しての予約は、単純に予約および決裁のみであって、実際の乗車券（特急、急行等の座席指定券や着席整理券等を含む）や搭乗券の入手は、駅や搭乗窓口で行われているため、乗車券や搭乗券を入手するのに混雑時には相当な時間がかかり、従って、乗車あるいは搭乗する時間の相当前に窓口に行っていなければならず、下手をすると乗車できないといった問題があった。
【０００４】
本発明は前記した問題点を解決せんとするもので、その目的とするところは、携帯電話等の携帯可能な通信手段によって乗車券や搭乗券の予約が完了すると、前記通信手段のディスプレー上にバーコード等の予約データが登録され、この予約データを表示することにより改札口や搭乗口を通過できるので、駅や搭乗窓口に行かなくとも乗物に乗ることができる乗物の予約システムを提供せんとするものである。
【０００５】
【課題を解決するための手段】
かかる目的を達成するため、本発明は、列車の利用者により操作される移動通信端末と、列車の会社の予約用のサーバと、列車に設置された認証用のサーバと、認証用のサーバと列車内のネットワークを介して接続され列車の入口に設置された受信機とを有し、移動通信端末は、列車の乗車予約内容を入力して予約用のサーバに送信し、予約用のサーバは、移動通信端末から受信した予約内容の情報に基づいて乗車予約を行い、移動通信端末は、利用者による列車の乗車予約が完了すると、予約の内容が示された予約データを移動通信端末および認証用のサーバに送信し、利用者が列車に乗車するとき、移動通信端末が受信機に予約データを送信すると、受信機は、移動通信端末から受信した予約データに係る認証用の予約データの取得を列車内のネットワークを介して認証用のサーバに要求し、認証用のサーバから列車内のネットワークを介して認証用の予約データを受信すると、認証用の予約データと移動通信端末から受信した予約データとを照合し、両データが一致したときに利用者による乗車を許可し、両データが不一致の場合には乗車を制止することを特徴とする。
【０００６】
また、本発明によれば、列車の利用者により操作される移動通信端末と、列車の会社の予約用のサーバと、列車に設置された認証用のサーバと、認証用のサーバと列車内のネットワークを介して接続され列車の入口に設置された予約データ読取手段とを有し、移動通信端末は、列車の乗車予約内容を入力して予約用のサーバに送信し、予約用のサーバは、移動通信端末から受信した予約内容の情報に基づいて乗車予約を行い、移動通信端末は、利用者による列車の乗車予約が完了すると、予約の内容が示された予約データを移動通信端末および認証用のサーバに送信し、利用者が列車に乗車するとき、移動通信端末は、予約データとして、予約内容をバーコードおよび数字のうちの少なくとも一方で表示し、予約データ読取手段は、移動通信端末の画面上に表示されたバーコードまたは数字を予約データとして読み取ると、読み取った予約データに係る認証用の予約データの取得を列車内のネットワークを介して認証用のサーバに要求し、認証用のサーバから列車内のネットワークを介して認証用の予約データを受信すると、認証用の予約データと読み取った予約データとを照合し、両データが一致したときに利用者による乗車を許可し、両データが不一致の場合には乗車を制止することを特徴とする。
【０００７】
また、本発明によれば、予約用のサーバは、予約内容に基づいた課金情報から決済情報を作成して移動通信端末に送信し、移動通信端末は、予約用のサーバから決済情報を受信すると、受信した決済情報に示された決済方法から選択し、選択した情報を予約用のサーバに送信して、乗車予約の決済を行うことを特徴とする。
また、本発明によれば、乗車予約後、移動通信端末は、予約用のサーバにアクセスし、予約済みの予約内容を示す予約確認画面を予約用のサーバから受信して表示し、情報管理サーバに対して確認操作を行うと、情報管理サーバは、予約の内容が示された予約データを移動通信端末および認証用のサーバに送信することを特徴とする。
【０００８】
本発明の列車の乗車予約システムは前記した目的を達成せんとするもので、インターネットを利用しての予約時において予約が完了すると、一定の形式に編集された予約データが携帯電話等の携帯可能な通信手段に送信され、この送信された予約データを乗車口等で提示することで乗車あるいは搭乗することができる。
また、前記予約完了時、あるいは、予約データの読込時に予め登録したクレジットカードにより自動決裁を行い、あるいは、前記通信手段からの入力によって決裁を行うようにした。
さらに、前記通信手段に読み込まれた予約データは、列車等の乗り込み口等に設置された受信機に対して電波として送信される。
また、前記通信手段に読み込まれた予約データは、列車等の乗り込み口等に設置されたバーコードリーダーや文字読取装置に対してバーコードあるいは数字等の文字で表示するようにした。
【０００９】
【発明の実施の形態】
以下、本発明に係る乗物の予約システムを鉄道の特急車両における座席予約を携帯電話を使用して行う場合の実施の携帯を図１のシステムブロック図と共に説明する。
１は携帯電話（ＰＨＳを含む）、２は該携帯電話１によって電話をした近傍に設置され、携帯電話１よりの電波を受信し携帯電話回線網３を通して携帯電話会社におけるインターネットセンタのサーバ４に接続するための基地局、５は該サーバ４によって選択された他社のウェブサイト６１〜６ｎに接続するためのインターネット網である。
【００１０】
前記携帯電話会社のサーバ４によって選択された鉄道会社のウェブサイト６ｎには、鉄道会社の電車時刻表、列車名称、座席等の所望事項が登録され、かつ、予約に対する各種の予約画面等が登録されているデータベース６ｎ１と、検索情報データベース６ｎ１にアクセスし、収拾された入力情報に基づいて所望の情報検索を行う情報検索処理部６ｎ２と、該情報検索処理部６ｎ２で得られた検索結果を文字情報や画像、音声等の所定の形式でインターネット網５を通じて携帯電話１に送信する検索情報用サーバ６ｎ３とから構成されている。
【００１１】
次に、携帯電話を使用して座席の予約を行う場合の操作を図２のフローチャートと共に説明する。
先ず、座席指定券を購入しようとする利用者は、携帯電話１から携帯電話会社のインターネット用のサーバ４にアクセスする（ステップＳ１）。なお、携帯電話１からの電波は最も近くに設置された基地局２からパケット通信網等の携帯電話通信網３を介してサーバ４に接続される。
【００１２】
前記サーバ４に接続されると、利用者の携帯電話の画面にはメニュー画面が表示されるので、この画面から乗車しようとする鉄道会社のホームページのサーバ６ｎ３を検索し（ステップＳ２）、かつ、このホームページから予約ページを検索する（ステップＳ３）。
【００１３】
予約ページが表示されると、先ず、利用者のＩＤ番号とパスワードの入力画面が表示されるので、利用者は予め鉄道会社と契約して付与されたＩＤ番号とパスワードをダイヤルキー操作によって入力する（ステップＳ４）。このＩＤ番号とパスワードが前記サーバ６ｎ３に登録されているかの判断を行うと共に与信確認を行う（ステップＳ５）。
【００１４】
そして、ＩＤ番号とパスワードが登録されており、かつ、与信確認の結果、事故がないと判定されると、サーバ６ｎ３は座席予約画面を携帯電話１に対して送信する（ステップＳ６）。そこで、利用者は送信された予約画面を見ながら乗車しようとする日時、列車名および枚数等を入力し、あるいは、予約画面に表示される日時、列車名、枚数等を選択して入力を行う（ステップＳ７）。
【００１５】
前記予約画面において入力したデータがサーバ６ｎ３に送られると、データベース６ｎ１のデータを情報検索処理部６ｎ２が、入力された日時、列車名および座席数が空いているかの検索を行い、その結果、空きがあると利用者の携帯電話に座席予約完了確認メッセージを送信する（ステップＳ８）。
【００１６】
そこで、利用者は前記確認メッセージを読んで間違いが有るか否かの判断を行い（ステップＳ９）、間違いがあると判断した場合には、ステップＳ６に戻り予約画面を再送信してもらって新たに予約の操作を行う（ステップＳ１０）。
【００１７】
また、間違いがないと判断した場合には、確認したことの操作を携帯電話から行う（ステップＳ１１）。この確認操作が行われると、前記サーバ６ｎ３は、前記予約に基づいた課金情報から決裁情報を作成し利用者に送信する（ステップＳ１２）。この情報は利用者の携帯電話において表示されるので、利用者はクレジットカード、デビットカード等の各種の決裁手段から選択して決裁情報をサーバ６ｎ３に送信し（ステップＳ１３）、全ての予約操作が終了する。
【００１８】
次に、前記した予約が終了して実際に予約した列車に乗車する手続について図３のフローチャートと共に説明する。
利用者は駅に着いた時に、再び携帯電話によって、前記した手順と同様に鉄道会社のホームページから予約ページにアクセスすると（ステップＳ２１）、携帯電話に入力画面が表示されるので、利用者のＩＤ番号とパスワードを入力する（ステップＳ２２）。
【００１９】
前記サーバ６ｎ３は入力されたＩＤ番号とパスワードが正しいか否かの判断を行い（ステップＳ２３）、正しいと判断すると予約確認画面を送信されるので、この予約確認画面（ステップＳ２４）を見て、予約確認操作を携帯電話から行う（ステップＳ２５）。
【００２０】
この確認操作が行われると、サーバ６ｎ３から予約列車番号、座席番号、予約枚数等のデータが携帯電話１に送信されるので、該携帯電話１内に組み込まれているＩＣに前記予約データは記憶される（ステップＳ２６）。また、前記予約データは予約列車のサーバにも送信され記憶される（ステップＳ２７）。
【００２１】
そして、利用者は乗車時において車両の入口において携帯電話１を操作して、前記予約データを車両の入口に設置された受信機に向かって送信して読み込ませる（ステップＳ２８）。前記受信機は前記列車内のサーバで記憶した予約データと一致しているかの判定を行い（ステップＳ２９）、相違する場合にはブザー等を鳴らして乗車を拒否し（ステップＳ３０）、また、正しい場合には乗車が行えるようにして全ての動作は終了する（ステップＳ３１）。
【００２２】
なお、鉄道に乗る場合に前記実施の形態では乗車券と指定席券が別々の場合にあっては、乗車券でホームまで入り、列車に乗る時に指定席券の代わりに携帯電話を使用して列車に乗り込む場合について説明したが、乗車券と指定席券を同時に購入した場合には、改札口でも携帯電話を利用して通過し、かつ、乗車時にも前記したように列車の入口で携帯電話を利用して乗り込むようにしてもよい。
【００２３】
また、実施の形態では、携帯電話に組み込まれたＩＣに鉄道会社のサーバから予約データを受信し、列車に乗るときに携帯から予約データを電波として入口に設置された受信機で受信する場合について説明したが、鉄道会社のサーバから予約データをバーコード化したもの、あるいは、乗車日時、列車番号、座席番号を数字で表示可能なデータを携帯電話に送信し、列車に乗るときに列車に設置されたバーコードリーダーや数字読取装置に、携帯電話の表示器において表示して前記バーコードや数字を読み取らせるようにしてもよい。
【００２４】
さらに、前記した実施の形態にあっては、予約した決裁を予約申込完了時に行う場合について説明したが、決裁の時期としては乗車時に予約データを取り込む時に行ってもよい。
【００２５】
また、前記した実施の形態にあっては、鉄道に乗る場合について説明したが、高速バスや航空機、客船等のように座席指定（着席整理券等も含む）がある乗物の全てに応用することができ、また、携帯電話に限定されるものではなく、モバイルコンピュータ等の携帯が容易で、かつ、インターネットが行える通信手段であれば、どのようなものであってもよいことは勿論のことである。
【００２６】
【発明の効果】
本考案は前記したように、インターネットを利用しての予約時において予約が完了すると、一定の形式に編集された予約データが携帯電話等の携帯可能な通信手段に送信され、この送信された予約データを乗車口等で提示することで乗車あるいは搭乗することができるようにしたので、従来のように駅や空港等でのチケットの購入手続が省略できて、スムーズな乗車が行え、また、通信機器を利用して指定席券等の決裁も行えるので、決裁の手間も省ける等の効果を有するものである。
【図面の簡単な説明】
【図１】本考案に係る乗物の予約システムを実施するためのシステムブロック図である。
【図２】予約操作を示すフローチャートである。
【図３】乗車時の操作を示すフローチャートである。
【符号の説明】
１      通信手段（携帯電話）
２      基地局
３      携帯電話網
４      携帯電話会社サーバ
５      インターネット網
６      Ｗｅｂサイト
【図１】
0004276798.tif 000002
【図２】
0004276798.tif 000003
【図３】
0004276798.tif 000004